(57)【要約】【課題】従来、遊技盤の裏側に電源スイッチや検査指示スイッチがあるので、これらスイッチを操作する場合には、重い前枠を開閉しなければならず、大変であった。【解決手段】遊技機の前面２０に遊技機の電源スイッチ５、遊技機の検査指示スイッチ６、遊技機のＲＡＭクリアスイッチ７のいずれか１つ以上を設け、また、スイッチを閉塞状態に覆うことが可能な施錠装置８付きカバー９を設け、施錠装置８を施錠することによりカバー９でスイッチを閉塞状態に覆ってスイッチを操作できないようにし、施錠装置８を解錠することによりカバー９を開いてスイッチを操作できるようにした。【選択図】        図１
2004159864.tif 000002
【特許請求の範囲】
【請求項１】
遊技機の前面に遊技機の電源スイッチ、遊技機の検査指示スイッチ、遊技機のＲＡＭクリアスイッチのいずれか１つ以上を備えたことを特徴とする遊技機。
【請求項２】
スイッチを閉塞状態に覆うことが可能な施錠装置付きカバーを設け、施錠装置を施錠することによりカバーでスイッチを閉塞状態に覆ってスイッチを操作できないようにし、施錠装置を解錠することによりカバーを開いてスイッチを操作できるようにしたことを特徴とする請求項１に記載の遊技機。
【請求項３】
遊技部品を搭載した前枠が外枠の前面側に片開き可能に設けられ前面化粧枠が前枠の前面側に片開き可能に設けられて構成された遊技機枠を備えた遊技機であって、前枠の前面に遊技機の電源スイッチ、遊技機の検査指示スイッチ、遊技機のＲＡＭクリアスイッチのいずれか１つ以上を備えるとともに、施錠により前面化粧枠の片開きを不可能とできる遊技機枠施錠装置を備え、この遊技機枠施錠装置を施錠することにより前面化粧枠でスイッチを閉塞状態に覆ってスイッチを操作できないようにし、遊技機枠施錠装置を解錠することにより前面化粧枠を開いてスイッチを操作できるようにしたことを特徴とする遊技機。
【請求項４】
遊技機枠施錠装置は前枠を片開き不可能に施錠できかつ前枠を片開き可能に解錠できる施錠装置としたことを特徴とする請求項３に記載の遊技機。
【請求項５】
キープレートにより回動可能な回動体に設けられた作動子によりオン操作される検査指示スイッチ及びＲＡＭクリアスイッチを設けたことを特徴とする請求項１又は請求項３又は請求項４に記載の遊技機。
【請求項６】
キープレートが遊技機枠施錠装置に用いられるキープレートにより形成されたことを特徴とする請求項５に記載の遊技機。
【発明の詳細な説明】
【０００１】
【発明の属する技術分野】
本発明は、パチンコ機、スロット機等の遊技機、特に、電源スイッチ等の配置に関する。
【０００２】
【従来の技術】
パチンコ機の遊技盤の裏側に電源装置及び電源スイッチを備えたものが知られている（例えば、特許文献１参照）。
また、遊技盤の裏側に設けられる副制御部毎に検査指示スイッチ（操作スイッチ）を設けたものが知られている（例えば、特許文献２参照）。尚、副制御部とは、飾りランプ等を制御するランプ制御部や効果音等の音出力を制御する音制御部等である。
【０００３】
【特許文献１】
特開２００１−１０４５４９号公報（段落０００２）
【特許文献２】
特開２００２−１１３１５９号公報（段落０１７１）
【０００４】
【発明が解決しようとする課題】
特許文献１や２では、電源スイッチや検査指示スイッチを操作する場合には、遊技盤や制御部等のほとんどの遊技部品を搭載した総重量２０ｋｇ程度の重い前枠を開閉しなければならず、大変であった。
そこで、本発明は、重い前枠を開閉せずともスイッチ操作を行えるようにした遊技機を提供するものである。
【０００５】
【課題を解決するための手段】
本発明による遊技機によれば、遊技機の前面に遊技機の電源スイッチ、遊技機の検査指示スイッチ、遊技機のＲＡＭクリアスイッチのいずれか１つ以上を設けた。これにより、スイッチを遊技機の前側で操作できるので、重い前枠を開閉せずともスイッチ操作を行えるようになり、スイッチ操作作業が容易になる。
また、スイッチを閉塞状態に覆うことが可能な施錠装置付きカバーを設け、施錠装置を施錠することによりカバーでスイッチを閉塞状態に覆ってスイッチを操作できないようにし、施錠装置を解錠することによりカバーを開いてスイッチを操作できるようにした。これにより、遊技者のスイッチ不正操作を防止できる。また、遊技部品を搭載した前枠が外枠の前面側に片開き可能に設けられ前面化粧枠が前枠の前面側に片開き可能に設けられて構成された遊技機枠を備えた遊技機であって、前枠の前面に遊技機の電源スイッチ、遊技機の検査指示スイッチ、遊技機のＲＡＭクリアスイッチのいずれか１つ以上を備えるとともに、施錠により前面化粧枠の片開きを不可能とできる遊技機枠施錠装置を備え、この遊技機枠施錠装置を施錠することにより前面化粧枠でスイッチを閉塞状態に覆ってスイッチを操作できないようにし、遊技機枠施錠装置を解錠することにより前面化粧枠を開いてスイッチを操作できるようにした。これにより、施錠装置付きカバーを設けなくともよくなり、遊技機の前面の見栄えをすっきりできる。また、スイッチは前面化粧枠で覆われ、かつ、パチンコ機の前面側にスイッチが設けられていることが遊技者に悟られにくくなるので、遊技者のスイッチ不正操作を防止できる効果が高くなる。
また、遊技機枠施錠装置は前枠を片開き不可能に施錠できかつ前枠を片開き可能に解錠できる施錠装置とした。これにより、前面化粧枠用と前枠用とに別々に施錠装置を設ける必要がなくなり、また、１つの遊技機枠施錠装置で前面化粧枠及び前枠の施錠、解錠を行えるので、便利になる。
また、キープレートにより回動可能な回動体に設けられた作動子によりオン操作される検査指示スイッチ及びＲＡＭクリアスイッチを設けた。これにより、検査指示スイッチ及びＲＡＭクリアスイッチ用の施錠装置付きカバーを不要とできる。
また、キープレートが遊技機枠施錠装置に用いられるキープレートにより形成されたものとした。これにより、店員等が持ち歩くキープレートの数を少なくできるので、便利になる。
【０００６】
【発明の実施の形態】
実施形態１．
図１〜図４は本発明の実施形態１であって、図１は前枠を開いたパチンコ機を前側より示し、図２は前枠の前面に設けられたスイッチとこのスイッチを覆うための施錠装置付き閉塞カバーを拡大して示し、図３はパチンコ機の回路接続を示し、図４は主制御部及び副制御部の制御ＲＯＭ使用領域割付を示す。尚、本発明はスロット機等の遊技機にも適用できる。
【０００７】
図１を参照し、パチンコ機の構成について説明する。パチンコ機の遊技機枠１は、遊技盤１００を取付けるための額縁状の前枠２がパチンコ店の島に取付けられる額縁状の外枠３に上下の枠ヒンジ４，４で前方横方向に片開き可能に取付けられる。前枠２の前面２０における自由端側上方（図１の右上側前面）には、電源スイッチ５、検査指示スイッチ６、ＲＡＭクリアスイッチ７が設けられている。これら各スイッチ５〜７は取付プレート５７に取付けられ、この取付プレート５７が前枠２の前面２０に取付けられている。図２に拡大して示したように、前枠２の前面２０における取付プレート５７の横側には各スイッチ５〜７を閉塞状態に覆うことが可能な施錠装置８付きカバー９がヒンジ８９，８９を介して取付けられている。施錠装置８は図外のキープレート（鍵）の操作により錠８ａが作動する操作体８Ａと錠８ａが係止する図外の係止部を内部に備えた係止体８Ｂとで構成され、操作体８Ａはカバー９の鍔部分９ａに取付けられており、係止体８Ｂは前枠２の前面２０に設けられている。従って、施錠装置８を施錠することによりカバー９が片開き不可能となり各スイッチ５〜７が閉塞状態に覆われて封止されるので各スイッチ５〜７を操作できず、施錠装置８を解錠することによりカバー９を開いて各スイッチ５〜７を操作できるようになる。通常、施錠装置８は施錠されていて、キープレートを所有する出荷時検査員やパチンコ店の店員等の関係者以外、特に遊技者等は各スイッチ５〜７を操作できず、キープレート所有者のみが施錠装置８を解錠できて各スイッチ５〜７を操作できるようになっている。
上記によれば、スイッチ５〜７を前枠２の前面２０に設けたので、出荷時検査員やパチンコ店の店員等は数百ｇ程度の施錠装置８付きカバー９を解錠してカバー９を開けるだけでスイッチ５〜７を操作できる。即ち、遊技機の前側で操作でき、２０Ｋｇ程度の重い前枠２を開閉せずともスイッチ操作を遊技機の前側で行えるようになり、作業が容易になる。また、施錠装置８付きカバー９でカバーを施錠することにより、遊技者はスイッチ５〜７を操作できないので、遊技者がスイッチを不正操作するような不正行為を防止できる。
【０００８】
図１に示すように、前枠２の自由端側には遊技機枠施錠装置１０が設けられており、キープレートで遊技機枠施錠装置１０を開錠すれば、前枠２を開くことができる。また、前枠２には上部のパネル枠１１と下部の上皿装置１２とを前枠２の回転中心側縦縁部（図１の左側）に図外のヒンジで前方横方向に片開き可能に備える。パネル枠１１には前枠２の前面２０側より遊技機枠１内部に格納された遊技盤１００を見ることが可能な透視性の有る合成樹脂又はガラスのようなパネル１３が装着される。前枠２の下縁部には下皿装置１４とハンドルグリップ１５とを備える。前枠２の裏側にはリアプレート１６を備え、前枠２とリアプレート１６により囲まれた遊技盤収納室が形成され、この遊技盤収納室に遊技盤１００が装着される。遊技盤１００の前面に取付けられたセンタ飾り１０１、入賞口装置１０２、始動入賞口装置１０３、変動入賞口装置１０４、風車１０５、釘等のような部品は、パネル枠１１が閉じられることによりパネル１３で覆われる。
【０００９】
図３に示すように、パチンコ機の全体の制御を行う主制御部２１と、図柄表示制御部２２ａ，球払出制御部２２ｂ，音制御部２２ｃ，表示灯制御部２２ｄ，発射制御部２２ｅ等の各副制御部とが双方向バス２３を介して双方向通信可能に接続されている。主制御部２１に接続されたパチンコ機の電源装置２４は、パチンコ店の島側トランスのような島側電源装置２５から受電したＡＣ２４ボルトの交流電源を全波整流した後の粗整流であるＤＣ２４ボルトのような直流電源、全波整流と平滑化及び定電圧化したＤＣ１２ボルトとＤＣ４．５ボルト及びＤＣ５ボルトのような定電圧電源を各制御部２１，２２ａ〜２２ｅに供給する。これら主制御部２１、各副制御部２２ａ〜２２ｅ、電源装置２４等は遊技盤１００の裏側に設けられている。従って、これら各部品を裏側に搭載した遊技盤１００が装着される前枠は２０Ｋｇ程度と重くなる。
【００１０】
パチンコ機の主制御部２１及び各副制御部２２ａ〜２２ｅの制御ＲＯＭには、それぞれ、遊技制御プログラム２７ａ、遊技制御データ２７ｂ、自己検査プログラム２８ａ、自己検査データ２８ｂが予め格納されている。図４に制御ＲＯＭの使用領域割付を示す。遊技制御プログラム２７ａと遊技制御データ２７ｂとにより遊技制御処理プログラム２７が構成され、自己検査プログラム２８ａと自己検査データ２８ｂとにより自己検査処理プログラム２８が構成される。遊技制御データ２７ｂは遊技制御処理に必要なデータ及び遊技制御命令（コマンド）を含む。自己検査データ２８ｂは主制御部２１あるいは副制御部２２ａ〜２２ｅの自己検査処理に必要なデータ及び自己検査命令（コマンド）を含む。遊技制御プログラム２７ａは遊技制御命令に基いて遊技制御を行うプログラムである。自己検査プログラム２８ａは自己検査命令に基いて主制御部２１あるいは副制御部２２ａ〜２２ｅの自己検査処理を行うプログラムと後述する主制御部２１あるいは副制御部２２ａ〜２２ｅの検査制御ルーチンプログラムを含むものである。
【００１１】
主制御部２１では主制御部検査制御ルーチンプログラムにより、電源スイッチ５のオンによる電源投入が判定されれば、主制御部２１の初期設定処理を行い、検査指示スイッチ６がオンであれば、各副制御部２２ａ〜２２ｅに検査開始命令を送信して、主制御部２１は副制御部２２ａ〜２２ｅから検査終了命令を受信するまで、自己検査処理プログラム２８により自己の検査処理を行う。検査指示スイッチ６がオンでなければ、遊技制御処理を行う。尚、遊技制御処理とは、実際に遊技が行われている状態においての制御（通常制御）を言い、実際に遊技が行われていない場合には主制御部２１は遊技デモンストレーションを行い、この遊技デモンストレーション状態に基いて遊技制御処理を行う。
各副制御部２２ａ〜２２ｅでは副制御部検査制御ルーチンプログラムにより、主制御部２１から検査開始命令を受信したか否かを判定し、受信を確認したならば、自己検査処理プログラム２８により自己の検査処理を行い、検査処理を終了したならば、検査終了命令を主制御部２１に送信し、その後、主制御部２１の遊技制御に基く遊技制御処理を行う。
主制御部２１の自己検査処理としては、例えば、大当たり状態の処理が手順通りに行われるかどうかを確認するために、大当たり状態を指示する検査命令（コマンド）による検査等がある。
副制御部２２ａ〜２２ｅの自己検査処理としては、例えば、図柄表示器の画面のドット欠け確認処理を指示する検査命令（コマンド）による検査等がある。
尚、検査結果に異常があれば、異常結果、例えば、その異常に対応する「１Ａ」「５Ｅ」等の記号等が例えば主制御部あるいは各副制御部の近傍に設けられた異常結果表示器あるいは図柄表示器に表示され、検査者はその異常結果を見て異常を確認することができる。
【００１２】
ＲＡＭクリアスイッチ７は、主制御部２１のＲＡＭに残っている情報をクリアするための指示を入力するためのスイッチであり、例えば、電源断時が生じた場合において、バックアップＲＡＭ領域に保存されたデータをクリアするためのものである。
【００１３】
実施形態２．
図５に示すように（尚、図５では遊技盤１００の図示を省略している）、前枠２が外枠３の前面側にヒンジ４，４を介して片開き可能に設けられ、前面化粧枠３１が前枠２の前面２０側にヒンジ４ａ，４ａを介して片開き可能に設けられて構成された遊技機枠１Ａを備えたパチンコ機の場合は、前枠２の前面２０にスイッチ５〜７を設け、かつ施錠により前面化粧枠３１の片開きを不可能とできるとともに前枠２の片開きをも不可能とできる遊技機枠施錠装置４１を設けるようにすればよい。この場合、遊技機枠施錠装置４１を施錠することにより前面化粧枠３１でスイッチ５〜７を閉塞状態に覆ってスイッチ５〜７を操作できないようにでき、遊技機枠施錠装置４１を解錠することにより前面化粧枠３１を開いてスイッチ５〜７を操作できるようになる。
遊技機枠施錠装置４１は、前面化粧枠３１の内側の上下に設けられた係止棒４２，４２と、前枠２側に設けられて上記係止棒４２，４２を係止して前面化粧枠３１の片開きを不可能とする係止フック４３，４３と、外枠３の内側の上下に設けられた図外の係止部と、前枠２側に設けられて上記係止部に係止して前枠２の片開きを不可能とする図外の係止フックと、前面化粧枠３１の片開きを不可能とするための係止棒４２，４２と係止フック４３，４３との係止及び前枠２の片開きを不可能とするための係止部と係止フックとの係止を解除する操作を行うためにキープレートを差し込むキー穴４４を有する解錠操作部４５とを備える。
即ち、前面化粧枠３１を閉じることにより係止棒４２，４２が係止フック４３，４３に係止して施錠され、前面化粧枠３１は片開き不可能となる。また、キープレートをキー穴４４に差し込んで例えば左方向に回すことにより係止棒４２，４２と係止フック４３，４３の係止が解除されて解錠され、前面化粧枠３１は片開き可能となる。
また、上記と同様に、前枠２を閉じることにより係止部が係止フックに係止して施錠され、前枠２は片開き不可能となる。また、キープレートをキー穴４４に差し込んで例えば右方向に回すことにより係止部と係止フックとの係止が解除されて解錠され、前枠２は片開き可能となる。
実施形態２によれば、施錠装置８付きカバー９を設なくともよくなり、パチンコ機の前面の見栄えをすっきりできる。また、スイッチ５〜７は前面化粧枠３１で覆われ、かつ、パチンコ機の前面側にスイッチ５〜７が設けられていることが遊技者に悟られにくいので、実施形態１に比べて遊技者がスイッチ５〜７を不正操作するような不正行為を防止できる効果が高い。また、前面化粧枠３１はせいぜい１〜２Ｋｇ程度であり、開閉作業も容易であるので、従来のような重い前枠を開閉するのに比べて、作業が容易になる。また、１つの遊技機枠施錠装置４１で前面化粧枠３１及び前枠２の施錠、解錠を行えるので、便利になる。
尚、前枠２用の遊技機枠施錠装置と前面化粧枠３１用の遊技機枠施錠装置とを別々に設けてもよい。
【００１４】
実施形態３．
図６に示すように、キープレートにより回動可能な回動体５１を設け、この回動体５１に設けられた作動子５２によりオン操作される検査指示スイッチ６及びＲＡＭクリアスイッチ７を設けるようにしてもよい。即ち、前枠２の自由端側上前面に上記回動体５１を設け、この回動体５１のキープレート挿入孔５３にキープレートを挿入して回動体５１を通常位置から例えば左に回転させることにより、回動体５１の後側に設けられた作動子５２がＲＡＭクリアスイッチ７をオンとし、回動体５１を通常位置から例えば右に回転させることにより、回動体５１の後側に設けられた作動子５２が検査指示スイッチ６をオンとしうるように構成してもよい。この場合のスイッチ６，７は接点接触型であっても非接触型であってもよい。尚、実施形態３を実施形態１に適用する場合は電源スイッチ５用に施錠装置付きカバーを設ければよい。
実施形態３によれば、検査指示スイッチ６及びＲＡＭクリアスイッチ７用の施錠装置付きカバーを不要とできる。また、実施形態１の遊技機枠施錠装置１０、実施形態２の遊技機枠施錠装置４１、あるいは実施形態２の場合で別々に設ける前枠２用遊技機枠施錠装置や前面化粧枠３１用遊技機枠施錠装置を操作できるキープレートにより回動可能な回動体５１とすることで、店員等が持ち歩くキープレートの数を少なくでき、便利となる。
【００１５】
尚、スイッチ５〜７は前枠２の前面２０であればどこに設けてもよい。また、スイッチ５〜７の配線が断線しないように配線引き回しを工夫すれば、外枠３の下側前面３ａや上皿装置１２の前面や下皿装置１４の前面にスイッチ５〜７を設けるようにしてよい。即ち、遊技機の前面であればどこに設けても構わない。また、遊技機の前面にスイッチ５〜７の全てを設けた例を示したが、いずれか１つ以上設けるようにすればよい。
【図面の簡単な説明】
【図１】本発明の実施形態１によるパチンコ機を前側より示した図。
【図２】前枠の前面に設けられたスイッチとこのスイッチを覆うための施錠装置付き閉塞カバーを拡大して示した図。
【図３】パチンコ機の回路接続図。
【図４】主制御部及び副制御部の制御ＲＯＭ使用領域割付図。
【図５】実施形態２によるパチンコ機を示す図。
【図６】実施形態３のスイッチを示す図。
【符号の説明】
１，１Ａ  遊技機枠、２  前枠、３  外枠、５  電源スイッチ、
６  検査指示スイッチ、７  ＲＡＭクリアスイッチ、８  施錠装置、
９  施錠装置付きカバー、１０，４１  遊技機枠施錠装置、３１  前面化粧枠、
５１  回動体。
【図１】
2004159864.tif 000003
【図２】
2004159864.tif 000004
【図３】
2004159864.tif 000005
【図４】
2004159864.tif 000006
【図５】
2004159864.tif 000007
【図６】
2004159864.tif 000008